(57)【要約】  加圧またはエアゾール製品を吐出するための容器（１）。容器（１）は、ＰＥＴなどのプラスチック材料で形成される本体（２）と、本体（２）に取り付けられるカラー（３）と、カラー（３）に取り付けられる吐出弁（４）とを備える。カラー（３）は、カラー（３）が本体（２）のネック（７）の周囲で開口をまたぐように延びて開口周囲において賦形されたリップを形成するように、本体（２）とスナップ嵌合または螺合することができる。吐出弁（４）は可鍛性材料で形成され、リップをまたぐように延びて、その周囲に圧縮されることによって保持されるように構成される。
2009514747.tif 000002
【特許請求の範囲】
【請求項１】
加圧製品を吐出するための容器であって、
ＰＥＴなどのプラスチック材料で形成され、開口の周囲に賦形されたネックを有する本体と、
前記開口の外壁および内壁にわたる形状を有して外壁および内壁の周囲に賦形されたリップを形成する、前記本体に取り付けられるカラーと、
前記リップをまたぐように賦形されてその周囲に圧縮されることにより保持される可鍛性材料で形成される外側フランジを有する、前記カラーに取り付けるための吐出弁と
を備える容器。
【請求項２】
前記賦形されたネックの外壁がその周囲に凹部を備え、前記カラーが内方に延びる環状突部を備え、前記突部が前記凹部と協働することにより、前記カラーと前記本体のネックがスナップ嵌合する、請求項１に記載の容器。
【請求項３】
前記賦形されたネックの外壁はその周囲に環状突部を備え、前記カラーはその内壁に環状凹部を備え、前記突部が前記凹部と協働することにより、前記カラーと前記本体のネックがスナップ嵌合する、請求項１に記載の容器。
【請求項４】
前記カラーおよび賦形されたネックがともに協働するねじ山を備え、前記カラーが前記本体のネック上にねじ込まれる、請求項１に記載の容器。
【請求項５】
前記カラーがＰＥＴなどのプラスチック材料で形成される、請求項１乃至４のいずれか一項に記載の容器。
【請求項６】
周囲に１つ以上の（内方および外方に突出する）補強リブが設けられた、請求項１乃至５のいずれか一項に記載の容器。
【請求項７】
前記本体が、蓋を取り外し可能に係合するための蓋係合手段を備える、請求項１乃至６のいずれか一項に記載の容器。
【請求項８】
前記本体が、該本体にベースを取り付けるためのベース係合手段を備える、請求項１乃至７のいずれか一項に記載の容器。
【発明の詳細な説明】
【技術分野】
【０００１】
本発明は、加圧またはエアゾール製品を吐出するように構成された、プラスチック、好ましくはＰＥＴで形成される容器に関する。
より詳細には、本発明は、本願出願人の先のオーストラリア特許出願番号第２００４９０５４８６号、及び国際特許出願番号第ＰＣＴ／ＡＵ２００５／００１４７４号に記載される容器のタイプに関する。なお、これら出願に記載される内容は、本願明細書に援用される。
【背景技術】
【０００２】
本明細書に記載される従来技術についての言及は、当該従来技術が一般的な知識を構成することを認める、または示唆するものであるとみなされるものではなく、またみなされるべきものでもない。
【０００３】
本願出願人の前述した先の特許出願に記載されるように、加圧製品を吐出するための容器は、主に金属で形成されてきた。そのような金属容器にはいくつかの固有の欠点があり、このため、このような金属容器に代わるプラスチック容器の開発もなされてきたが、比較的不成功に終わっている。
【０００４】
本願出願人の先の特許出願は、プラスチック本体、賦形されたカラー、および吐出弁を備える容器を提供することにより、いくつかの欠点を解消した、プラスチック材料で製造された加圧またはエアゾール容器において重要な進展を果たした。本体は、ポリエチレンテレフタレート（ＰＥＴ）などのプラスチック材料から延伸ブロー成形されており、開口を包囲する賦形されたネックを有していた。カラーも、プラスチック材料から射出成形され、開口の周りにおいて本体の賦形されたネックとスナップ嵌合可能な形状を有していた。その後に吐出弁をネック／カラーに取り付けることができ、かつ、外側フランジを備えていた。外側フランジは、可鍛性材料で形成されるとともに、カラーと嵌合して圧縮されることによりカラーの周囲で保持される形状を有していた。
【０００５】
本願出願人の先の特許出願ではまた、容器の改良された製造方法を提供しており、該方法は、後に延伸ブロー成形装置に支持されることが可能な賦形されたネックを備えるプリフォームを射出成形する第１の工程と、容器が賦形されたネックから延びるようにプリフォームを延伸ブロー成形する第２の工程と、ネックが開口を包囲するように容器からネックの先端を切断する第３の工程と、射出成形されたプラスチックカラーを、開口を包囲する位置におい容器のネックとスナップ嵌合する第４の工程と、カラーと嵌合してその周囲で圧縮されることによりカラーに保持される形状を有する可鍛性材料で形成された外側フランジを備える吐出弁をネック／カラーに取付ける最後の工程とを含んでいた。
【０００６】
従って、出願人の先の特許出願は、従来の装置に固有の不都合な点を有しておらず、簡単な工程を用いて安価で製造可能な環境に優しいエアゾール容器を提供した。
【発明の開示】
【発明が解決しようとする課題】
【０００７】
本発明は、従来のエアゾール容器の不都合な点を解消するプラスチック製エアゾール容器を提供することを目的とする。
より詳細には、本発明は、プラスチック材料で形成される独自のカラー設計を提供することにより、従来技術の不都合な点を解消することを目的とする。
【課題を解決するための手段】
【０００８】
本願出願人の先の特許出願は従来技術に比して顕著な効果を奏していたが、本願出願人は、その先の種類のもとは異なる、これに代わる新たなＰＥＴ製エアゾール容器を得た。この新たな容器は、容器内をより高圧にすることができることを含め、より優れた利点を有する。本願出願人はまた、カラーと容器の連結維持に関する改善を発明し、ＰＥＴタイプのプラスチックを使用する利点を有しつつも従来の金属およびアルミニウム容器に匹敵する特徴を有する設計を達成した。
【０００９】
本願発明のカラー設計は、従来起きていたように輸送中や充填工程中において所定の位置からカラーが外れないように本体のネックとスナップ嵌合または螺合することができるが、開口の内壁および外壁にまたがる。
【００１０】
広い一形態では、本発明は加圧製品を吐出するための容器を提供し、該容器は、ＰＥＴなどのプラスチック材料で形成され、開口の周りに賦形されたネックを有する本体と、前記開口の外壁及び内壁にまたがるように賦形されて開口の回りに賦形されたリップを形成する、前記本体に取り付けられるカラーと、可鍛性材料で形成されて前記リップをまたぐように賦形されて該リップの周囲に圧縮されることにより該リップに保持される外側フランジを有する、前記カラーに連結するための吐出弁とを備える。
【００１１】
好ましくは、賦形されたネックの外壁はその周囲に凹部を備え、カラーは、該カラーから内側に伸びる環状突部を備え、突部と凹部が協働してカラーと本体のネックをスナップ嵌合する。
【００１２】
あるいは、好ましくは、賦形されたネックの外壁はその周囲に環状突部を備え、カラーはその内壁に環状凹部を備え、突部と凹部が協働してカラーと本体のネックをスナップ嵌合する。
【００１３】
別の好ましい形態においては、カラー及び賦形されたネックは協働するねじ山を備え、カラーと本体のネックを螺合することができる。
好ましくは、カラーはＰＥＴなどのプラスチック材料で形成される。
【００１４】
また好ましくは、１つ以上の（内側及び外側に突出する）補強リブがその周囲に設けられる。
好ましくは、本体は、蓋を解除可能に係合するための蓋係合手段を備える。
【００１５】
また好ましくは、本体は、ベースを本体に連結するためのベース係合手段を備える。
本発明は、添付の図面について説明された以下の好ましい実施形態の詳細な説明によってより完全に理解されるであろう。なお、好ましい実施形態は、本発明をこれら実施形態に限定するものではない。
【発明を実施するための最良の形態】
【００１６】
各図面において、類似する符号は、別の言及がない限りは類似する特徴を特定するものとして使用される。
図１に示すように、全体が符号１によって示される容器は、プラスチック材料で形成され、本体部分２、カラー３、および弁機構４を備える。
【００１７】
図３に最もよく示される本体部分２は、その第１の端部にベース６と、第２の端部にネック部７とを有する。ベースおよびネックを含む本体２は、本願出願人の前述した先の出願に記載されるように、ポリエチレンテレフタレート（ＰＥＴ）などのプラスチック材料を延伸ブロー形成することにより、プリフォームから一体形成される。本体３は、キャップを容器と緊合させるための被覆部分８と、カラー３と係合可能な環状凹部９と、キャップもしくは閉鎖部または他の部品との別の係合点として、かつ／または、特に加圧されたときに容器に構造上の剛性を提供するための補強リブとして機能することができる外方および内方のいずれかに突出する１つ以上のリブ１９とを含むことができる。
【００１８】
開口１０は、吐出弁（詳細は後述する）を受容するようにネック７の上面に形成される。符号３によって示されるカラーは、図４に最もよく示されており、射出成形によりプラスチックから形成され、本体２のネック７の強度を大幅に高めるように、幾分の可撓性とともに強度および剛性を有するという特徴を備える。幾分の可撓性を有しつつ強度および剛性を有するという特徴は、加圧製品を収容しているときに重要である。図４は、カラー３が本体２のネック７とスナップ嵌合された実施形態を示す。これは、カラー３の内面から内方に突出する環状突部３０と係合するように構成された環状凹部９を本体のネックに設けることにより達成される。
【００１９】
本発明のカラー３の実施形態は、本願出願人の前述の特許出願で説明されるカラーとは異なる形状を有する。詳細には、カラー３は開口の内壁３４および外壁３３をまたぐように賦形され、その周囲に賦形されたリップ３１を形成する（この目的については後述する）。
【００２０】
図６は、容器上にカラー、およびその後に吐出弁を組み付ける様子を示す。
図６（ａ）は、カラー３が容器２上に取り付けられる様子を示す。図示されるように、溝３２が容器開口の外壁３３および内壁３４をまたぐように、カラーが押し下げられる。
【００２１】
図６（ｂ）は、容器２に取り付けられたカラー３を示し、これにより、環状突部３０がリブ９とスナップ嵌合し、カラー３が内壁３４および外壁３３をそれぞれまたぐように延び、これにより容器開口の周りに賦形されたリップ３５が形成される。
【００２２】
図６（ｃ）は、その後吐出弁４が賦形されたリップ３５の周りに取り付けられる様子を示す。吐出弁は、好ましくはアルミニウムのような可鍛性材料で形成される。
図６（ｄ）に示される位置に取り付けられた後、内壁３６を圧縮することができる。
【００２３】
図６（ｅ）は、容器２のカラー／ネックに固定された後に弁が圧縮された位置にある様子を示す。
図７、８および９には、前述した実施形態のスナップ嵌合されるカラーの代わりに、ねじきりされたキャップカラー３を利用する本発明の別の好ましい実施形態が示されている。図７、８および９に示すように、本体２のネック７は、カラー３を固定することができるねじ山４０を備える。図９に最もよく示されるように、カラー３は、本体２のネック７のねじ山４０の形状と適合する相補的な形状を有するねじ山４１を備える。ねじ山４０は、位置決めされるまでカラー３をネック７上にねじ込むことを可能にする位置決め停止要素４２を備えることができる。符号４３にて示されるようにネック７の外面に適切なピンチシールを設けて、カラー３とネック７の間にシールが形成されるようにしてもよい。カラー３は、手工または機械により、本体２のネック７に取り付けることができる。カラー３の緩みを避けるために、組み付け直前に接着剤をねじ山４０および４１の一方または両方に塗布して、接着剤が固化するとカラーが外れないようにしてもよい。先の実施形態について述べたように、次いで弁４をカラー３に供給して該カラー３上に圧着することができる。
【００２４】
図８は、カラー付き容器のこのねじきり構成の種々の構成要素を組み付けられた状態で示すが、理解を容易にするために、上部構成要素、即ちカラー３および弁４の一部を切り欠いた状態で示されている。
【００２５】
本願明細書に記載されるようにカラーを用いることにより、ＰＥＴタイプのエアゾール容器は、開口を覆うカラーのこの独特な設計により、従来のプラスチック容器よりも高い圧力を保持することができるように形成される。本発明のプラスチック容器は、カラーと容器がスナップ係合または螺合するため、出願人の前述の特許出願に記載されているように製造工程中にカラーが容器から外れないという利点はなお有している。
【００２６】
容器内の製品が漏出しないように、吐出弁をカラー３のリップ３５に取り付ける手段は、良好なシールを形成できる。例えばこれらの構成要素の間に可撓性を有するゴム材料などを用いることにより、別のシールを所望に応じて設けてもよい。
【００２７】
従来の金属容器に弁を圧着する手段を、同様に本発明においても使用することができる。本発明で利用されるカラーの剛性は、ＰＥＴ容器および部品を壊すことなく従来タイプの圧着工具を用いることができるものである。当業者であれば、金属をＰＥＴに直接圧着することにより容器に応力が生じ、これにより時間の経過とともに容器に割れや漏れが生じ得ることが理解されるであろう。しかしながら、本発明の射出成形されたカラーの利用によって、この不利な点が解消される。
【００２８】
組み付け工程中にカラーが容器に接触する肩部３７および３８（図４参照）は、好ましくは、部品が組みつけられるときの引っかかりを最小限にすべく、容器がカラーを通ってスムーズに進入できるように設計される。当業者であれば、これらの肩部がとり得る湾曲形状を認識できるであろう。
【００２９】
カラー３のアーム３９は、位置ずれがあればこれを補正するように、カラーを容器に組み付ける際にガイドとして機能する。また、弁が容器に挿入されるときに、アーム３９は、組み付け作業においてフランジを少し押し広げるように補助し、容器がスロット３２内にあるときにこの部分全体がカラーを容器に対して挟着する。
【００３０】
ＰＥＴ容器がカラー３の部分４０により挟着される場所であるスロット３２は、容器とカラーの間に第２のシールを形成する。従って、高圧高温下においては、ＰＥＴ容器がカラーに対して、スロット３２の上面においてガスが漏出することを許容して容器が破裂しないようにする。スロット３２はまた、ＰＥＴ容器が金属弁の圧着区域に直接接触しないようにする。
【００３１】
リップ３１の外側部分４１はわずかに平坦化されており、すなわちリップは湾曲し続けておらず、現在市販される様々なタイプの弁を本発明のリップ３１にすべて取付けることができる。
【００３２】
リップ３１の外周の切り込み部分４２は、所望に応じて市販される吐出噴霧器を容器に取り付けることができるように、これらの特殊な噴霧器を考慮に入れて設けられている。
剛性および／または高い強度を得るために、補強肩部４３をカラー３上に設けることができるが、これは特に、力が加わる圧着工程中において特に有用な場合がある。
【００３３】
カラー３のスカート４４は、容器全体に視覚的に人を惹きつける外観を与えるように設けられ、一方では、スカート４４によって隠されたスカート４４の下に位置する容器は、容器の構造上の剛性を得るために補強リブなどを提供する。
【００３４】
本発明に記載される容器は、従来タイプの金属製エアゾール容器に対して利点を有し、かつ、出願人の前述の出願に記載されるＰＥＴタイプのプラスチック製容器に代わる容器を提供する。特定の実施形態について上述してきたが、本発明の効果を奏するように容器の形状および構成に変更および改変を加えることができる。このような変更および改変はすべて、上述したように本発明の範囲内に包含されるものである。
【００３５】
容器の方法および製造は、本願出願人の前述の出願に記載されているものに類似するが、上述した効果を得るためにカラーが異なって形成されている点が異なる。すなわち、カラーは容器の上部とスナップ嵌合または螺合することができ、かつカラーが容器開口を覆っているため、製造および組み付け工程中にカラーが容器上部から外れにくい。
【００３６】
明らかに、本発明のプラスチック製エアゾール容器は、現在金属製エアゾール容器から吐出されるものとして知られるすべての製品を含め、様々なものまたは製品を吐出することができる。しかしながら、ＰＥＴ材料で形成されるプラスチック製エアゾール容器は、容易にリサイクルすることができるという重要な利点があり、よってより環境に優しい。
【００３７】
本発明の容器およびその製造方法には、多数の変更および改変を加えることができる。そのような変更および改変はすべて、前述したように本発明の精神および範囲内に包含されるべきものである。
【図面の簡単な説明】
【００３８】
【図１】本発明の好ましい実施形態により形成されたプラスチック製エアゾール容器の上部の斜視図。
【図２】図１に示されるプラスチック製エアゾール容器の一部を切り欠いた図。
【図３】本発明の容器の好ましい実施形態の立面図。
【図４】本発明のカラーの断面図。
【図５】本発明の容器の上部の一部を切り欠いた断面図。
【図６ａ】本発明の容器にカラーを組み付ける様子を示した図。
【図６ｂ】本発明の容器にカラーを組み付けた様子を示した図。
【図６ｃ】本発明の容器にカラーを組み付けた後に吐出弁を取り付ける様子を示した図。
【図６ｄ】本発明の容器にカラーを組み付けた後に吐出弁を取り付ける様子を示した図。
【図６ｅ】本発明の容器にカラーを組み付けた後に吐出弁を取り付けた様子を示した図。
【図７】カラーにねじ山を有する、本発明の別の好ましい実施形態によるプラスチック製エアゾール容器の分解図。
【図８】図７のプラスチック製エアゾール容器の一部を切り欠いた図。
【図９】図７および８の実施形態のカラーを示す図。
【図１】
2009514747.tif 000003
【図２】
2009514747.tif 000004
【図３】
2009514747.tif 000005
【図４】
2009514747.tif 000006
【図５】
2009514747.tif 000007
【図６（ａ）】
2009514747.tif 000008
【図６（ｂ）】
2009514747.tif 000009
【図６（ｃ）】
2009514747.tif 000010
【図６（ｄ）】
2009514747.tif 000011
【図６（ｅ）】
2009514747.tif 000012
【図７】
2009514747.tif 000013
【図８】
2009514747.tif 000014
【図９（ａ）】
2009514747.tif 000015
【図９（ｂ）】
2009514747.tif 000016
【図９（ｃ）】
2009514747.tif 000017
【国際調査報告】
2009514747.tif 000018
2009514747.tif 000019
2009514747.tif 000020